(57)【特許請求の範囲】
【請求項１】
透明樹脂製の円筒管からなり、長さ方向に沿って互いに所定の間隔を存して形成され、Ｘ線造影可能な複数の目盛りを備える外科手術用リトラクターにおいて、
該目盛りはイオンプレーティングにより形成された金属層又は金属化合物層のいずれかからなり、前記イオンプレーティングにより形成された金属層又は金属化合物層は、前記円筒管の表面に形成された環状溝部に巻き付けられた帯状の金属板上に形成されていることを特徴とする外科手術用リトラクター。
【請求項２】
請求項１記載の外科手術用リトラクターにおいて、前記イオンプレーティングにより形成された金属層又は金属化合物層は、Ｚｒ、Ｔａ又はそれらとＣ、Ｎ、Ｏからなる群から選択される少なくとも１種の元素との化合物からなることを特徴とする外科手術用リトラクター。
【請求項３】
請求項１又は請求項２記載の外科手術用リトラクターにおいて、脳神経外科手術用であることを特徴とする外科手術用リトラクター。
【発明の詳細な説明】
【技術分野】
【０００１】
本発明は、内視鏡下脳内血腫除去術等の脳神経外科手術等の外科手術に用いられる外科手術用リトラクターに関する。
【背景技術】
【０００２】
代表的な脳神経疾患の１つに脳内血腫がある。前記脳内血腫は出血した血液が脳内で塊となったものであり、頭蓋内圧を亢進させる。そこで、生命が危険に晒される場合には、前記脳内血腫を除去することがある。
【０００３】
前記脳内血腫を除去する方法のひとつに、内視鏡下脳内血腫除去術がある。前記内視鏡下脳内血腫除去術は、まず、穿頭術により頭蓋骨に形成された直径１０ｍｍ程度の孔部から脳内血腫まで円筒形のリトラクターを穿刺し、該リトラクターの内部に内視鏡及び吸引管を挿入する。そして、前記内視鏡により患部を観察しながら、前記吸引管により前記脳内血腫を吸引除去する。
【０００４】
従来、前記リトラクターとして、透明樹脂からなり外面の長さ方向に沿って目盛りを付けたものが知られている（例えば、特許文献１参照）。
【０００５】
前記従来のリトラクターによれば、脳に穿刺する際に、外部から前記目盛りを視認することにより、脳表から該リトラクターの先端までの距離を認識することができ、目標とする深さに確実に穿刺することができる。
【先行技術文献】
【特許文献】
【０００６】
【特許文献１】特開２０００−３２５３５６号公報
【発明の概要】
【発明が解決しようとする課題】
【０００７】
しかしながら、前記従来のリトラクターでは、Ｘ線照射により患部を三次元的に解析しようとするときに、前記目盛りを造影することができないので、確実な治療が困難になるという不都合がある。
【０００８】
本発明は、かかる不都合を解消して、Ｘ線照射により患部を三次元的に解析するときに確実な治療を行うことができる外科手術用リトラクターを提供することを目的とする。
【課題を解決するための手段】
【０００９】
かかる目的を達成するために、本発明は、透明樹脂製の円筒管からなり、長さ方向に沿って互いに所定の間隔を存して形成され、Ｘ線造影可能な複数の目盛りを備える外科手術用リトラクターにおいて、該目盛りはイオンプレーティングにより形成された金属層又は金属化合物層のいずれかからなり、前記イオンプレーティングにより形成された金属層又は金属化合物層は、前記円筒管の表面に形成された環状溝部に巻き付けられた帯状の金属板上に形成されていることを特徴とする。
【００１１】
また、本発明の外科手術用リトラクターによれば、前記目盛りを備えることにより、体内に穿刺する際に体表から該リトラクターの先端までの距離を目視により確認することができ、目標とする深さに確実に穿刺することができる。また、前記金属層又は金属化合物層からなる目盛りはＸ線造影可能であるので、Ｘ線照射により患部を三次元的に解析するときに、該目盛りにより該リトラクターと患部との相互位置を容易に把握することができ、確実な治療を行うことができる。
【００１２】
本発明の外科手術用リトラクターにおいて、前記イオンプレーティングにより形成された金属層又は金属化合物層としては、Ｚｒ、Ｔａ又はそれらとＣ、Ｎ、Ｏからなる群から選択される少なくとも１種の元素との化合物からなるものを挙げることができる。
【００１４】
本発明の外科手術用リトラクターは、外科手術一般に使用できるが、特に脳神経外科手術用として好適に用いることができる。
【図面の簡単な説明】
【００１５】
【図１】本発明の外科手術用リトラクターの構成を示す模式的斜視図。
【図２】本発明の外科手術用リトラクターの製造方法を示し、（Ａ）は第１工程、（Ｂ）は第２工程、（Ｃ）は第３工程をそれぞれ示す模式的斜視図。
【発明を実施するための形態】
【００１６】
次に、添付の図面を参照しながら本発明の実施の形態についてさらに詳しく説明する。
【００１７】
まず、図１を参照して、本実施形態の外科手術用リトラクター１について説明する。
【００１８】
本実施形態の外科手術用リトラクター１は、外科手術一般に使用できるが、特に脳神経外科手術に適している。そこで、以下、外科手術用リトラクター１を脳神経外科手術用リトラクター１として説明する。
【００１９】
本実施形態の脳神経外科手術用リトラクター１は、透明樹脂製の円筒管２と、円筒管２の外周面に周方向に沿って形成された複数の帯状の金属層３とを備えている。ここで、金属層３は、円筒管２の外表面に形成された環状溝部（図示せず）に巻き付けられた帯状の金属板（図示せず）上にイオンプレーティングにより、円筒管２の長さ方向に沿って互いに所定の間隔を存して形成されて、Ｘ線造影可能な目盛り４を構成している。尚、本実施形態において、金属層３は金属又は金属化合物からなる層を意味する。
【００２１】
円筒管２を構成する透明樹脂として、例えば、テトラフルオロエチレン−パーフルオロアルキルビニルエーテル共重合体（ＰＦＡ）、テトラフルオロエチレン−ヘキサフルオロプロピレン共重合体（ＦＥＰ）等のフッ素樹脂を挙げることができる。
【００２２】
次に、図２を参照して、脳神経外科手術用リトラクター１の製造方法について説明する。
【００２３】
脳神経外科手術用リトラクター１を製造するときには、まず、図２（Ａ）に示すように、円筒管２の内部に金属（例えばステンレス）製の丸棒５を配置する。ここで、円筒管２の内径は丸棒５の外径よりも大きく設定されており、円筒管２と丸棒５との間には空隙Ｓが形成されている。
【００２４】
次に、図２（Ｂ）に示すように、円筒管２を加熱することにより熱収縮させ、丸棒５に密着させる。円筒管２は、例えばＰＦＡ又はＦＥＰからなり、熱収縮させて丸棒５に密着させることにより、円筒管２の内径を丸棒５の外径に一致させることができる。
【００２５】
従って、丸棒５の外径を調整することにより、脳神経外科手術用リトラクター１の内径を容易に所望の寸法とすることができる。脳神経外科手術用リトラクター１の内径は、例えば、内視鏡と吸引管とを同時に挿入できる寸法とすることができる。
【００２６】
次に、図２（Ｃ）に仮想線で示すように、円筒管２の外周面に周方向に沿って複数の金属層３を形成する。
【００２７】
円筒管２の外周面に金属層３を形成するときは、まず、円筒管２の外表面に前記環状溝部を形成し、該環状溝部に前記帯状の金属板を巻き付け、金属層３を形成する部分を除いてマスキングする。次に、前記マスキングが施された円筒管２の外表面に形成された環状溝部に巻き付けられた帯状の金属板（図示せず）上にイオンプレーティングにより、金属層３を形成する。
【００２８】
前記イオンプレーティングは、チャンバー内にターゲットとなる金属又は金属化合物と、前記のようにマスキングした円筒管２とを配置し、該チャンバー内の雰囲気を所定の真空度に維持した状態で、該ターゲットに電子ビームを照射してイオン化させる一方プラズマを発生させることにより行うことができる。
【００２９】
前記ターゲットとなる金属としては、例えば、Ｚｒ、Ｔａ等を挙げることができる。
【００３０】
前記雰囲気としては、例えば、アルゴン等の不活性ガスに、二酸化炭素、窒素、酸素等の原料ガスを添加したものを挙げることができる。前記真空度は、例えば、１０−３〜１０−５Ｐａの範囲とすることが好ましい。
【００３１】
前記電子ビームは、例えば、電子銃等により発生させることができる。前記電子銃の出力は、例えば、１．０〜３．０ｋＷの範囲とすることが好ましい。
【００３２】
前述のようにして形成された金属層３は、円筒管２の外周面に強固に結合しているため摩擦等により剥落することがなく、Ｘ線に対して良好な造影性を示すことができる。
【００３３】
本実施形態では、前述のようにして金属層３を形成した後、前記マスキングを除去し、円筒管２から丸棒５を引き抜くことにより、図１に示す脳神経外科手術用リトラクター１を得ることができる。
【００３５】
本実施形態の脳神経外科手術用リトラクター１は、Ｘ線造影可能な複数の目盛り４を備えているが、さらに脳に穿刺する際に先端となる部分にＸ線造影可能なエンドマーク（図示せず）を備えていることが好ましい。前記エンドマークは、脳神経外科手術用リトラクター１において、目盛り４と同様にして形成することができる。
【００３６】
本実施形態の脳神経外科手術用リトラクター１は、例えば、内視鏡下脳内血腫除去術を行う際に、脳表から脳内血腫の位置まで穿刺され、円筒管２の内部に挿通される内視鏡及び吸引管を脳内血腫に案内する。このとき、脳神経外科手術用リトラクター１は目盛り４を備えるので、外部から目盛り４を視認することにより、脳表から脳神経外科手術用リトラクター１の先端までの距離を認識することができる。従って、脳神経外科手術用リトラクター１を脳内血腫の内部まで、確実に穿刺することができる。
【００３７】
また、目盛り４はＸ線造影可能であるので、Ｘ線照射により前記脳内血腫を三次元的に解析するときに、目盛り４により脳神経外科手術用リトラクター１と該脳内血腫との相互位置を容易に把握することができ、確実な治療を行うことができる。目盛り４には、前記エンドマークを基点として目盛り番号を付与してもよい。
【００３８】
さらに、脳神経外科手術用リトラクター１は透明樹脂製であるので、前記内視鏡を介して脳室内を観察することができ、出血の有無、脳内血腫の状態、脳内血腫の取り残しの有無等を容易に確認することができる。
【符号の説明】
【００３９】
１…外科手術用リトラクター、  ２…円筒管、  ３…金属層、  ４…目盛り。
【図１】
0006363000.tif 000002
【図２】
0006363000.tif 000003